(57)【要約】【課題】マンドレルの製造コストを上昇させずに残留マンドレル部分の落下を阻止し且つ締結力を高く維持し、マンドレルの引込み操作だけで頭部がスリーブ端面に均一に押圧されるのを確実にして締結を良好に保つブラインドリベットを提供する。【解決手段】マンドレル２２は、頭部２９と破断可能部３１との間に形成された脱落防止部３３を有し、脱落防止部３３には、スリーブの内壁面に摩擦係合する半径方向外方に突出する頂部を有する複数の係止山３４が形成され、係止山は、頭部と破断可能部との間のマンドレル部分の外面に、マンドレル外面の周方向に対して斜めに且つ相互に交差するように形成されて頂部が前記マンドレル部分の外面から突出した綾目形状を形成している。【選択図】図２
2011157996.tif 000002
【特許請求の範囲】
【請求項１】
筒状のスリーブ及び該スリーブの一端に形成されたフランジから成る中空のリベット本体と、該リベット本体のスリーブ内径より大径の頭部を端部に有し前記リベット本体を貫通する外径で且つリベット本体より長い棒状に形成され且つ前記頭部と反対の端部側にグリップ部が設けられたマンドレルとから成り、前記マンドレルは前記リベット本体に、前記スリーブの他端に前記頭部が隣接配置され且つ前記フランジから前記グリップ部が延び出るように、組付けられ、前記マンドレルには、前記頭部から離れた位置であって且つ前記スリーブ内に収容される部分に、小径の破断可能部が形成され、前記グリップ部が前記フランジから前記破断可能部で破断されるまで強く引き抜かれるとき前記頭部が前記スリーブの前記他端及びその隣接部分を半径方向外方に拡げるように変形させて、前記変形したスリーブ部分と前記フランジとの間に被締結部材が挟持されて該被締結部材にブラインドリベットが締結される、ブラインドリベットにおいて、
前記マンドレルは、前記頭部と前記破断可能部との間に形成された脱落防止部を有し、該脱落防止部には、前記スリーブの内壁面に摩擦係合するように前記スリーブ内径よりやや半径方向外方に突出する頂部を有する複数の係止山が形成されており、前記複数の係止山は、前記頭部と前記破断可能部との間のマンドレル部分の外面に、該マンドレル外面の周方向に対して斜めに且つ相互に交差するように形成されて前記頂部が前記マンドレル部分の外面から突出した綾目形状を形成しており、前記グリップ部の前記強い引抜きによって前記破断可能部が破断した後も前記係止山の前記頂部が前記フランジの内壁面に係合して前記リベット本体に残留したマンドレル部分が該リベット本体内に保持される、
ことを特徴とするブラインドリベット。
【請求項２】
請求項１に記載のブラインドリベットにおいて、前記脱落防止部の前記係止山は、前記マンドレル部分の外面を、前記頭部と前記破断可能部の中間位置から前記頭部に隣接する位置まで、前記頂部による前記綾目形状が覆うように形成されている、ことを特徴とするブラインドリベット。
【請求項３】
請求項１に記載のブラインドリベットにおいて、前記脱落防止部の前記係止山は、前記マンドレル部分の外面を、前記破断可能部に隣接する位置から前記頭部に隣接する位置まで、前記頂部による前記綾目形状が覆うように形成されている、ことを特徴とするブラインドリベット。
【請求項４】
請求項１〜３のいずれか１項に記載のブラインドリベットにおいて、前記係止山は、前記頭部と前記破断可能部との間のマンドレル部分が、綾目（又は菱形）ローレット加工によって形成される、ことを特徴とするブラインドリベット。
【請求項５】
請求項１〜４のいずれか１項に記載のブラインドリベットにおいて、前記マンドレルの前記頭部には、前記スリーブの他端に対向する位置に、前記スリーブの前記他端から長手方向に切開する切刃が、間隔をおいて複数個形成されており、前記マンドレルグリップ部の強い引抜きによって前記破断可能部が破断するとき、前記切刃が前記スリーブの他端を長手方向に拡開しながら前記スリーブの前記他端及びその隣接部分を半径方向外方に拡げるように変形させる、ことを特徴とするブラインドリベット。
【請求項６】
請求項１〜４のいずれか１項に記載のブラインドリベットにおいて、前記マンドレルの頭部は、前記マンドレルグリップ部の強い引抜きによって前記破断可能部が破断するとき前記スリーブの前記他端及びその隣接部分を半径方向外方に拡膨するように変形させる形状に形成されている、ことを特徴とするブラインドリベット。
【発明の詳細な説明】
【技術分野】
【０００１】
本発明は、ブラインドリベットに関し、例えば、閉じた空間を形成する壁等の被締結部材の取付穴にリベット本体を挿入してリベット本体のスリーブ端部を半径方向外方に変形させ、その変形スリーブ部分とリベット本体のフランジとの間に被締結部材が挟持されて被締結部材に締結されるブラインドリベットに関する。
【背景技術】
【０００２】
スリーブ及びそのスリーブの一端のフランジから成る中空のリベット本体と、リベット本体を貫通してフランジからグリップ部が延び出るリベット本体より長いマンドレルとから成るブラインドリベットはよく知られている。かかるブラインドリベットは、一の被締結部材（例えば、パネル）とその被締結部材に連結されるべき他の被締結部材（例えば、取付部品）とを一方の側からだけで連結できる利点がある。マンドレルは、リベット本体を貫通する外径で且つリベット本体より長い棒状に形成され、グリップ部と反対の端部側には頭部が設けられている。マンドレルは、リベット本体に、スリーブのフランジと反対側の端部にマンドレル頭部が隣接配置され且つフランジからマンドレルのグリップ部が延び出るように、組付けられる。マンドレルには、頭部から離れた位置であって且つリベット本体のスリーブ内に収容される部分に、小径の破断可能部が形成され、マンドレルは、グリップ部がフランジから破断可能部で破断するまで強く引き抜かれるとき頭部がスリーブの他端及びその隣接部分を半径方向外方に拡げるように変形させ、その変形したスリーブ部分とフランジとの間に被締結部材が挟持されて被締結部材にブラインドリベットが締結される。
【０００３】
締結作業後において、破断可能部で破断されたグリップ部側のマンドレル部分は、締結工具に引込まれて締結工具に回収されるが、他のマンドレル部分、すなわち、頭部を含む破断可能部までのマンドレル部分は、リベット本体側に残留している。その残留マンドレル部分はリベット本体から脱落するおそれがある。閉じた空間を持つ被締結部材にブラインドリベットが締結された場合、残留マンドレル部分がリベット本体から脱落すると、残留マンドレル部分がその空間の中で転がり、異音を発生させたり、内壁面を損傷させたりするので好ましくない。
【先行技術文献】
【特許文献】
【０００４】
【特許文献１】特開２００９−０４１６９９号公報
【特許文献２】ヨーロッパ特許出願公開第０６３９７１９号明細書
【発明の概要】
【発明が解決しようとする課題】
【０００５】
特許文献１に記載のブラインドリベットは、マンドレルの破断後リベット本体に残留するマンドレル部分の脱落を防止する構成を有する。特許文献１に記載のブラインドリベット１を、図１の（Ａ）及び（Ｂ）を参照して説明する。ブラインドリベット１は、マンドレル２とリベット本体３とから成り、マンドレル２は一端に頭部５を有し、他端側にグリップ部６を有する。リベット本体３は、スリーブ７と、スリーブ７の一端であって頭部５と反対側の端部に形成されたフランジ９とを有する。マンドレル２には、頭部５から離れた位置であってスリーブ７内に収容される部分に、小径の破断可能部１０が形成されている。更に、マンドレル２は、頭部５と破断可能部１０との間に形成された脱落防止部１１を有する。脱落防止部１１には、スリーブ７の内壁面に摩擦係合するようにスリーブ７の内径より大径の頂部を有し、その頂部がマンドレル外周方向に延びる係止山１３が形成されており、マンドレル２のグリップ部６を破断可能部１０から破断する強い引抜きの後には脱落防止部１１の係止山１３がフランジ９の位置まで引上げられて、頭部５がスリーブ７の端部及びその隣接部分を半径方向外方に拡げるように変形させ、変形したスリーブ部分とフランジ９との間に被締結部材が挟持されて被締結部材にブラインドリベットが締結される。頭部５を含む破断可能部１０までのマンドレル２の部分は、脱落防止部１１がフランジ９の内壁面に係合するのでリベット本体３の中に留まるように保持される。なお、図１（Ａ）の符号１４はパネル等の被締結部材である。
【０００６】
図１（Ｂ）に図示のように、脱落防止部１１の係止山１３は、マンドレル外面に、外周方向に外周面を巡るように形成された２本の平行な溝１５の間に形成されている。リベット本体３に残留する頭部５を含むマンドレル部分が、リベット本体３に脱落しないように確実に保持されるためには、係止山１３は、半径方向の厚さが薄い剛性の低いスリーブ７の内壁面ではなく、半径方向に張出している剛性の高いフランジ９の内壁面に係合することが望まれる。しかしながら、被締結部材の厚さによって、締結時の係止山の位置はリベット本体の中で変化すなわち違っている。被締結部材の厚さに拘わらず係止山１３が確実にフランジ９の内壁面に係合するためには、係止山１３の数を増やせばよいが、その場合には、マンドレル２の製造コストが上昇し、また、マンドレル２の剛性が低くなって、締結力を低下させるおそれがある。
【０００７】
また、係止山１３の頂部の外径は、スリーブ７の内壁面との摩擦係合のためにスリーブの内径よりやや大径に形成されているので、マンドレル２がリベット本体３に組み付けられるとき、頭部５と脱落防止部１１の間のスリーブの内壁面が係止山１３の頂部で削られてスリーブ７の内径が大きくなる。そのため、図１（Ｂ）に図示のように、頭部５と脱落防止部１１の間において、スリーブ７の内壁面とマンドレル２の外面との間に隙間１７が形成される。この隙間１７によって、マンドレル２が強く引込まれるとき、頭部５がスリーブ７の軸線に対して傾き易くなり、頭部５がスリーブ７の端面に傾いた状態で当接してしまうおそれがある。頭部５がスリーブ端面に均等に押圧される場合には、スリーブ端面及びその隣接部分は、周方向において均等に半径方向外方に変形されて、ブラインドリベットは被締結部材へ良好に締結される。頭部５がスリーブ７の端面に傾いた状態で当接してしまうと、頭部５がスリーブ端面に均等に押圧されなくなり、スリーブ端面及びその隣接部分が周方向において不均一に半径方向外方に変形されてしまい、ブラインドリベットの被締結部材への締結不良を招いてしまうおそれもある。
【０００８】
特許文献２のブラインドリベットでは、マンドレルの頭部と破断可能部との間に、複数の螺旋の係止山（ウェブ）が周方向に対して斜めに且つ平行に形成されており、特許文献の図４の２つの矢印に示されるように、マンドレルを引込んだ後に、更に、マンドレルを軸回りに回転させ、複数の係止山をスリーブ内壁面に螺旋溝を形成しながら食い込ませ、破断後に残ったマンドレル部分をスリーブに固着させるとともに、係止山と頭部の間のマンドレル部分に係止山より大径のブローチ部を設けて係止山でできた螺旋溝をスリーブ端面において変形させてマンドレルが軸回りに逆回転しても抜け外れを阻止している。特許文献２のブラインドリベットでは、破断後に残ったマンドレル部分をスリーブ内壁面に食い込ませてブラインドリベットの締結を強固にしているが、締結操作において、破断可能部で破断する強い引込み操作の後に、更に回転操作を必要としており、締結操作が複雑になっている。また、係止山でできたスリーブ内壁面の螺旋溝を変形させるブローチ部をマンドレルに形成せねばならず、マンドレルの製造コストを上昇させてしまう。
【０００９】
従って、本発明の目的は、破断後にリベット本体に残留するマンドレルの脱落を防止し且つマンドレルの製造コストを上昇させずにマンドレルの剛性を維持して締結力を高く維持するとともに、マンドレルの引込み操作だけで、頭部がスリーブ端面に均一に押圧されるのを確実にして締結を良好に保つ、ブラインドリベットを提供することにある。
【課題を解決するための手段】
【００１０】
かかる目的を達成するため、本発明によるブラインドリベットは、筒状のスリーブ及び該スリーブの一端に形成されたフランジから成る中空のリベット本体と、該リベット本体のスリーブ内径より大径の頭部を端部に有し前記リベット本体を貫通する外径で且つリベット本体より長い棒状に形成され且つ前記頭部と反対の端部側にグリップ部が設けられたマンドレルとから成り、前記マンドレルは前記リベット本体に、前記スリーブの他端に前記頭部が隣接配置され且つ前記フランジから前記グリップ部が延び出るように、組付けられ、前記マンドレルには、前記頭部から離れた位置であって且つ前記スリーブ内に収容される部分に、小径の破断可能部が形成され、前記グリップ部が前記フランジから前記破断可能部で破断されるまで強く引き抜かれるとき前記頭部が前記スリーブの前記他端及びその隣接部分を半径方向外方に拡げるように変形させて、前記変形したスリーブ部分と前記フランジとの間に被締結部材が挟持されて該被締結部材にブラインドリベットが締結される、ブラインドリベットであって、前記マンドレルは、前記頭部と前記破断可能部との間に形成された脱落防止部を有し、該脱落防止部には、前記スリーブの内壁面に摩擦係合するように前記スリーブ内径よりやや半径方向外方に突出する頂部を有する複数の係止山が形成されており、前記複数の係止山は、前記頭部と前記破断可能部との間のマンドレル部分の外面に、該マンドレル外面の周方向に対して斜めに且つ相互に交差するように形成されて前記頂部が前記マンドレル部分の外面から突出した綾目形状を形成しており、前記グリップ部の前記強い引抜きによって前記破断可能部が破断した後も前記係止山の前記頂部が前記フランジの内壁面に係合して前記リベット本体に残留したマンドレル部分が該リベット本体内に保持される、ことを特徴とする。
【００１１】
上記のように、脱落防止部の複数の係止山は、頭部と破断可能部との間のマンドレル部分の外面に、マンドレル外面の周方向に対して斜めに且つ相互に交差するように形成されて頂部がマンドレル部分の外面から突出した綾目形状を形成して、スリーブ内壁面に係合するので、マンドレルがリベット本体に対してぐらつきなく保持され、グリップ部の強い引抜きによって破断可能部が破断した後も係止山の頂部がリベット本体のスリーブだけでなく、フランジの内壁面にも係合するので、引き抜き操作においてマンドレル頭部がスリーブ端面に均等に圧接されてスリーブの変形が均一になされ、また、リベット本体に残留した、頭部を含めて破断可能部までのマンドレル部分が、被締結部材の厚さの大小に拘らず、リベット本体内に確実に保持されるとともに、係止山のあるマンドレル部分は、ブラインドリベットが被締結部材へ締結される力を強固にし、リベット本体のスリーブの拡開変形部分はその拡開形状の維持が強化され、高い締結力が長く維持される。更に、残留マンドレル部分は、リベット本体に固着しているので、被締結部材からブラインドリベットに振動が付与されても、マンドレル部分がリベット本体の中で不動であり、異音の発生はない。
【００１２】
従って、周方向に延びる係止山の場合においては被締結部材の厚さの違いに対応するために多数の平行な係止山を形成する必要がある不利を解消し、マンドレルの製造コストを上昇させずにマンドレルの剛性を維持して、ブラインドリベットの締結力を高く維持するとともに、マンドレルの引込み操作の際にマンドレルの係止山がスリーブの内壁面にぐらつきなく係合するので、頭部がスリーブ端面に均一に押圧されるのを確実にして、ブラインドリベットの締結を良好に保つ。脱落防止部の係止山は、被締結部材の厚さに違いがあってもリベット本体のフランジの中空部の内壁面に確実に係合し、これによって、被締結部材の厚さ変化への対応範囲が大きくされている。
【００１３】
上記ブラインドリベットにおいて、脱落防止部の係止山は、マンドレル部分の外面を、頭部と破断可能部の中間位置から頭部に隣接する位置まで、頂部による前記綾目形状が覆うように形成される。これによって、頭部に隣接する位置でのぐらつきを係止山の頂部が支えて、頭部がスリーブ端面に均等に押圧されてスリーブ端面及びその隣接部分が周方向において均一に半径方向外方に変形され、ブラインドリベットの被締結部材への締結不良を防止する。また、上記ブラインドリベットにおいて、脱落防止部の係止山は、マンドレル部分の外面を、破断可能部に隣接する位置から頭部に隣接する位置まで、頂部による綾目形状が覆うように形成されているのが好ましい。これによって、頭部に隣接する位置でのぐらつきを係止山の頂部が支えて、頭部がスリーブ端面に均等に押圧されてスリーブ端面及びその隣接部分が周方向において均一に半径方向外方に変形され、ブラインドリベットの被締結部材への締結不良を防止するとともに、脱落防止部の係止山の範囲が拡大し、被締結部材の厚さ変化への対応範囲が一層大きくなる。係止山は、頭部と破断可能部との間のマンドレル部分が、綾目（又は菱形）ローレット加工によって形成される。従って、マンドレルに綾目ローレット加工するだけでよく、残留マンドレル部分の脱落を防止するブラインドリベットを低コストで提供できる。
【００１４】
上記ブラインドリベットにおいて、マンドレルの頭部には、スリーブの他端に対向する位置に、スリーブの他端から長手方向に切開する切刃が、間隔をおいて複数個形成されており、マンドレルグリップ部の強い引抜きによって破断可能部が破断するとき、切刃がスリーブの他端を長手方向に拡開しながらスリーブの他端及びその隣接部分を半径方向外方に拡げるように変形させる構成にすることができる。別の場合として、マンドレルの頭部は、マンドレルグリップ部の強い引抜きによって破断可能部が破断するときスリーブの他端及びその隣接部分を半径方向外方に拡膨するように変形させる形状に形成されていてもよい。
【図面の簡単な説明】
【００１５】
【図１】特許文献１に記載の公知のブラインドリベットを示しており、（Ａ）はそのブラインドリベットの一部破断正面図、（Ｂ）は（Ａ）の円部分の拡大図である。
【図２】本発明の１実施形態に係るブラインドリベットの、リベット本体を半断面で示す正面図である。
【図３】図２の本発明に係るブラインドリベットの、マンドレルの頭部及び脱落防止部を示す正面図である。
【図４】図２の本発明に係るブラインドリベットを示しており、（Ａ）はリベット本体を断面で示すブラインドリベットの一部破断正面図、（Ｂ）は（Ａ）の円部分の拡大図である。
【図５】（Ａ）は、図２の本発明に係るブラインドリベットの締結状態の一部破断正面図であり、（Ｂ）は、図１の公知のブラインドリベットの締結状態の一部破断正面図である。
【発明を実施するための形態】
【００１６】
以下、本発明の１実施形態に係るブラインドリベット２１について図２〜図５を参照しながら説明する。図２において、本発明の１実施形態に係るブラインドリベット２１は、マンドレル２２とリベット本体２３とから成り、マンドレル２２がリベット本体２３に組み付けられる。図３は、組み付け前のマンドレル２２の頭部付近の部分を示す。図４の（Ａ）及び（Ｂ）は、組み付けられたブラインドリベット２１のマンドレル２２とリベット本体２３の関係を示す。図５の（Ａ）は、本発明の１実施形態に係るブラインドリベット２１の、被締結部材への締結状態を示しており、図５の（Ｂ）は、特許文献１に記載の公知のブラインドリベット１の、被締結部材への締結状態を示している。
【００１７】
図２及び図３において、マンドレル２２は、リベット本体２３よりも長い円柱の棒状の硬い金属で形成され、例えば、硬鋼線で作られる。図２において、リベット本体２３は、中空の筒状の金属で形成され、マンドレル２２より軟質の材料、例えば、アルミニウム、アルミニウム合金等の軟らかい金属材料で作られる。そのほかに、リベット本体は、鉄、鉄合金、ステンレス、銅、銅合金、であってもよい。図２に示すように、ブラインドリベット２１は、マンドレル２２が、リベット本体２３に、中空のリベット本体２３を貫通してリベット本体２３から延び出るように組付けられる。
【００１８】
図２に示すように、リベット本体２３は、中空のスリーブ２５とスリーブ２５の一端の大径のフランジ２６とから成り、全体が中空に形成されて、その中空部２７にはマンドレル２２が収容される。スリーブ２５及びフランジ２６の中空部２７の内径は、マンドレル２２が貫通できるように設定される。フランジ２６の厚さ（リベット本体２３の軸方向の長さ）は、マンドレル２２を強く引き抜いて破断可能部で破断した後においてリベット本体２３内に残ったマンドレル部分がフランジ２６から突出することがない厚さに設定されるのが好ましい。後述のように、マンドレル２２が破断可能部３１で破断するまでリベット本体２３から強く引き抜かれると、スリーブ２５は変形させられる（図５（Ａ）参照）が、フランジ２６の部分は半径方向に長く剛性が高いので変形されず、フランジ２６の部分は非変形部分となり、フランジ２６の中空部２７の部分の直径はスリーブ２５が変形しても変形しない。
【００１９】
マンドレル２２の一端には、リベット本体スリーブ２５の、フランジと反対側の端部より大径の頭部２９が形成されている。マンドレル２２の長さは、図１に図示のように、リベット本体２３のスリーブ２５より相当に長くされ、リベット本体２３のフランジ２６から突出して、その突出部分が、締結工具（図示せず）の先端の把持部材に把持できるグリップ部３０として形成されている。グリップ部３０には、締結工具の把持部材の把持から抜けないように多段の係止溝が形成されている。マンドレル２２の先端は、締結工具へ挿入し易いように先細に形成されている。
【００２０】
マンドレル２２には、スリーブ２５に収容される部分において、他の部分より小径の破断可能部３１が形成されている。破断可能部３１は、締結工具でマンドレル２２のグリップ部３０がフランジ２６から強く引き抜かれるとき、一定の引抜き力を越えると破断する部分である。破断直前までの強い引抜き力は、頭部２９の大径部分からリベット本体２３のスリーブ２５の端面に加わり、スリーブ２５の端部及びその隣接部分を半径方向外方に拡げるように変形させる力となる。従って、破断可能部３１の破断抵抗力は、リベット本体２３のスリーブ２５を変形させる力によって定められる。破断可能部３１での破断後において、締結工具で把持しているマンドレル部分（主としてグリップ部３０）は締結工具に保持されて締結工具の回収ボックスに回収される。破断可能部３１の位置は、リベット本体２３の中であれば任意であるが、図示の実施形態に示すように、スリーブ２５の中程の位置に形成されると、マンドレル２２の殆どの部分が回収できるので、回収率を高く維持できる。しかしながら、後述のように、破断可能部３１と頭部２９の間のマンドレル部分には脱落防止部３３が形成され、脱落防止部３３は、破断可能部３１でのマンドレル２２の破断後においてリベット本体２３に残留するマンドレル部分（頭部２９を含めて頭部２９から破断可能部３１までのマンドレル部分）がリベット本体２３から脱落するのを防止するための一定の長さを必要とするので、破断可能部３１の位置は、例えば、図２に図示のように、スリーブ２５の端部からフランジ２６までの間の中程の位置であって、やや頭部２９に近い位置に定められる。
【００２１】
マンドレル２２について更に説明する。マンドレル２２は、リベット本体２３への組付けの前（すなわち図３の状態）において、頭部２９と破断可能部３１との間に形成された脱落防止部３３を有する。かかる脱落防止部３３は、破断可能部３１でのマンドレル２２の破断後においてリベット本体２３に残留するマンドレル部分（頭部２９を含めて頭部２９から破断可能部３１までのマンドレル部分）がリベット本体２３から脱落するのを防止する。従って、残留マンドレル部分が脱落した場合の異音の発生を防止する。
【００２２】
脱落防止部３３には、スリーブ２５の内壁面に摩擦係合するように、スリーブ２５の内径よりやや半径方向外方に突出する、直線状に連続する頂部を有する、複数の直線状の係止山３４が形成されている。複数の係止山３４は、頭部２９と破断可能部３１との間のマンドレル部分の外面に、マンドレル外面の周方向（マンドレル２２の軸線に対して垂直な平面内にあるマンドレル外面の周方向をいう）に対して斜めに（すなわち前記周方向に対して一定の角度をもって）延びており、且つ、複数の係止山３４は、それらの頂部がマンドレル２２の外面から半径方向に突出した綾目形状を形成する（図２〜図４を参照されたい）ように、相互に交差して形成されている。
【００２３】
脱落防止部３３の位置は、マンドレル２２の破断前において係止山３４が頭部２９と破断可能部３１の中間位置から頭部２９に隣接する位置まで存在する位置であって、マンドレル破断後においてリベット本体２３に残留するマンドレル部分がフランジ２６の中空部２７に対応する位置及びその近辺にあるように定められる。係止山３４が頭部２９に隣接する位置まで存在することによって、マンドレル２２の破断前のマンドレル２２の引き抜き操作において、頭部２９に隣接する位置でのぐらつきを係止山３４の頂部が支えてそのぐらつきを防止して、頭部２９がスリーブ２５の端面に均等に押圧されてスリーブ２５の端面及びその隣接部分が周方向において均一に半径方向外方に変形され、ブラインドリベット２３の被締結部材への締結不良を防止する。そして、係止山３４が頭部２９と破断可能部３１の中間位置から頭部２９に隣接する位置まで存在することによって、マンドレル破断後において、係止山３４がリベット本体２３の非変形部分であるフランジ２６の中空部の内壁面に摩擦係合して、リベット本体２３に残留するマンドレル部分をリベット本体２３から脱落するのを防止するとともに、係止山３４の頂部がリベット本体２３の中空部２７の内壁面に係合するのが確実にされ、ブラインドリベット２１の締結強度を高く維持し、被締結部材の厚さ変化への対応範囲を広くする。図２〜図４に図示のように、脱落防止部３３の係止山３４は、マンドレル２２の部分の外面を、頭部２９に隣接する位置から破断可能部３１に隣接する位置までのマンドレル部分の外面全体に、頂部による綾目形状が覆うように形成されているのが好ましい。これによって、係止山３４がリベット本体２３のフランジ２６の内壁面へ係合する範囲が一層長くなり、ブラインドリベット２１が被締結部材へ締結されるときの、被締結部材の厚さ変化への対応範囲が一層広くなる。
【００２４】
係止山３４は、頭部２９と破断可能部３１との間のマンドレル２２の部分が、綾目（又は菱形）ローレット加工によって形成することができる。これによって、マンドレル２２には、所定の個所（複数の係止山３４で成る脱落防止部３３）を綾目（又は菱形）ローレット加工するだけでよく、複数の係止山３４で成る脱落防止部３３によって破断後の残留マンドレル部分の脱落を防止する、ブラインドリベット２１を低コストで提供できる。
【００２５】
上記のとおり、係止山３４の頂部は、スリーブ２５の内壁面に摩擦係合するように、スリーブ２５の内径よりやや半径方向外方に突出して形成されている。そして、図３に示されるように、係止山３４の頂部は、頭部２９に隣接する位置から破断可能部３１に隣接する位置までのマンドレル部分の外面の全体を覆う綾目形状に形成されている。従って、マンドレル２２の破断後において、各係止山３４はフランジ２６の中空部２７の内壁面に摩擦係合して、リベット本体２３に残留するマンドレル部分（頭部２９から破断可能部３１までのマンドレル部分であって脱落防止部３３を含むマンドレル部分）がリベット本体２３から脱落するのを防止し、係止山３４の頂部がリベット本体２３のフランジ２６の中空部２７の内壁面に係合するのが確実にされ、ブラインドリベット２１の締結強度を高く維持し、被締結部材の厚さ変化への対応範囲を広くするとともに、マンドレル２２を破断可能部３１で破断するときの強い引き抜き操作においても、頭部２９に隣接する位置でのぐらつきを係止山３４の頂部が支えてぐらつきを防止するので、頭部１９がスリーブ２５の端面に均等に押圧され、スリーブ端面及びその隣接部分が周方向において均一に半径方向外方に変形され、ブラインドリベット２１の被締結部材への締結不良を防止する。
【００２６】
図示の実施形態において、ブラインドリベット２１のマンドレル２２の頭部２９には、リベット本体２３のスリーブ２５の端面に対向する面に、周方向に間隔をおいて複数の、半径方向に斜めに延びる切刃３７が形成されている。かかる複数の切刃３７は、マンドレル２２をその破断可能部３１で破断するフランジ２６からの強い引抜力によって、対向するスリーブ２５の端面を複数に切開し、更に、切刃３７の数だけスリーブ２５を長手方向に切り裂いて半径方向に分割し、そのスリーブ２５の分割部分を、半径方向外方に拡開させて更にアーチ形状に変形させ、各分割部分の先端を被締結部材の面に強く係合させる。また、かかる切刃３７に代えてあるいは切刃に加えて、スリーブ２５の内側に長手方向に延びる分割用の溝を形成してもよい。このように、スリーブ２５を切り裂いてアーチ形状に変形させるブラインドリベットは、ピール（Peel）タイプのブラインドリベットとも呼ばれ、被締結部材がプラスチック等の軟質の部材であっても損傷することなく締結できる利点がある。
【００２７】
上記図示の実施形態に係るブラインドリベットとは別に、マンドレルの頭部は、マンドレルグリップ部の強い引抜きによって破断可能部が破断するときスリーブの他端及びその隣接部分を半径方向外方に拡膨するように変形させる形状に形成されていてもよい。そのような公知のブラインドリベットのマンドレルの頭部の形状は、例えば、特開２００３−２１４４１４号公報に記載されている。このマンドレル頭部には、切刃は設けられていない。更に、リベット本体をフランジの方向に変形させて拡膨するブラインドリベットであってもよい。
【００２８】
図４（Ａ）及び（Ｂ）並びに図５（Ａ）を参照して、被締結部材１４にブラインドリベット２１を締結する操作を説明する。なお、被締結部材１４は、金属等の硬質材料であっても、プラスチック等の軟質部材であってもよく、ブラインドリベット２１が締結される被締結部材は、１つであっても、複数であってもよく、複数の被締結部材の場合は被締結部材がブラインドリベット２１によって相互に堅く連結される。締結操作において、ブラインドリベット２１のグリップ部３０が、締結工具（図示せず）に保持されて、頭部２９及びスリーブ２５が、被締結部材１４の取付穴に挿入され、フランジ２６が被締結部材１４に接面されるように位置決めされる。その状態で、マンドレル２２をその破断可能部３１で破断する強い引き抜き力でフランジ２６から引き抜く。マンドレル２２が引き抜かれるにつれて、脱落防止部３３の係止山３４の頂部の外径がリベット本体２３のスリーブ２５の内径より大径であっても、スリーブ２５内に圧入される。図示のブラインドリベット２１の場合、マンドレル２２の引き抜きによって頭部２９の切刃３７がスリーブ２５を長手方向に切り裂いて半径方向に、切刃３７の数に対応する数に分割し、スリーブ２５の分割部分を、半径方向外方に拡開させて更にアーチ形状に変形させる（図５（Ａ）参照）。分割したスリーブ拡開部分３８は、閉じた空間５の中でアーチ形状に変形しながら被締結部材１４の内壁に強く係合する。フランジ２６は被締結部材１４に接面しているので、被締結部材１４がスリーブ拡開部分３８とフランジ２６との間に強く挟持され、これによってブラインドリベット２１が被締結部材１４に締結される。ブラインドリベット２１は、上記のように閉じた空間の中でも締結できるので便利である。また、閉じた空間を形成している被締結部材が軟質部材であっても、スリーブ２５の分割拡開部分がアーチ状に変形して被締結部材の内壁へ係合するので、その軟質部材への締結時の変形を防止できる。
【００２９】
図５（Ａ）に示すように、脱落防止部３３の係止山３４は、リベット本体２３のフランジ２６の中空部２７の内壁面及びスリーブ２５の中空部２７の内壁面に摩擦係合し、あるいは、食い込んでいる。従って、リベット本体２３に残留するマンドレル部分（頭部２９と破断可能部３１の間のマンドレル部分）が、リベット本体２３から脱落するのを防止する。これによって、リベット本体２３に残留するマンドレル部分の脱落の場合に空間の中で運動するときの異音の発生が無くなる。更に、リベット本体２３に残留するマンドレル部分はリベット本体２３に固着しているので、被締結部材１４からブラインドリベット２１に振動が伝えられたとしても、マンドレル部分は、リベット本体２３に対して不動であり、振動に伴なう異音は発生しない。
【００３０】
そして、係止山３４の頂部は、スリーブ２５の内壁面に摩擦係合するように、スリーブ２５の内径よりやや半径方向外方に突出して形成されており、係止山３４の頂部は、頭部２９に隣接する位置から破断可能部３１に隣接する位置までのマンドレル部分の外面の全体を覆う綾目形状に形成されている。従って、マンドレル２２の破断後において、各係止山３４はフランジ２６の中空部２７の内壁面に摩擦係合して、リベット本体２３に残留するマンドレル部分（頭部２９から破断可能部３１までのマンドレル部分であって脱落防止部３３を含むマンドレル部分）がリベット本体２３から脱落するのを防止し、係止山３４の頂部がリベット本体２３のフランジ２６の中空部２７の内壁面に係合するのが確実にされ、ブラインドリベット２１の締結強度を高く維持し、被締結部材の厚さ変化への対応範囲を広くする。更に、マンドレル２２を破断可能部３１で破断するときの強い引き抜き操作においても、頭部２９に隣接する位置でのぐらつきを係止山３４の頂部が支えてぐらつきを防止するので、頭部１９がスリーブ２５の端面に均等に押圧され、スリーブ端面及びその隣接部分が周方向において均一に半径方向外方に変形され、ブラインドリベット２１の被締結部材への締結不良を防止する。
【００３１】
これに対して、図１（Ｂ）に図示のように、公知のブラインドリベット１の場合には、頭部５と脱落防止部１１の間において、スリーブ７の内壁面とマンドレル２の外面との間に隙間１７が形成され、隙間１７によって、マンドレル２が強く引込まれるとき、頭部５がスリーブ７の軸線に対して傾き易くなり、頭部５がスリーブ７の端面に傾いた状態で当接してしまうおそれがあり、頭部５がスリーブ端面に均等に押圧されなくなり、スリーブ端面及びその隣接部分が周方向において不均一に半径方向外方に変形されてしまい、ブラインドリベットの被締結部材への締結不良を招いてしまうおそれがある。かかる締結不良は、ブラインドリベット２１によって解消される。すなわち、ブラインドリベット２１の場合には、図４（Ｂ）に図示のように、係止山３３の係止山３４の頂部とスリーブ２５の中空部２７の内壁面との間には、隙間はなく、マンドレル２２を破断可能部３１で破断するときの強い引き抜き操作においても、頭部２９に隣接する位置でのぐらつきを係止山３４の頂部が支えてぐらつきを防止するので、頭部１９がスリーブ２５の端面に均等に押圧され、スリーブ端面及びその隣接部分が周方向において均一に半径方向外方に変形され、ブラインドリベット２１の被締結部材への締結不良を防止する。
【００３２】
また、図５（Ｂ）に図示のように、公知のブラインドリベット１の場合には、脱落防止部１１の係止山１３は、マンドレル外面に、外周方向に外周面を巡るように形成された２本の平行な溝１５の間に形成されているので脱落防止部１１の軸方向長さが短く、係止山１３はリベット本体３のフランジ９の中空部の内壁面へ係合して強固な締結を得るのであるが、脱落防止部１１の軸方向長さが短いので、強固な締結を得る範囲が短く、被締結部材の厚さの違いによって係止山１３がフランジ９に係合できないおそれがある。ブラインドリベット２１は、図５（Ａ）のように相当厚さのある被締結部材１４であっても、脱落防止部３３の係止山３４がリベット本体２３のフランジ２６の中空部の内壁面に確実に係合し、これによって、被締結部材の厚さ変化への対応範囲が大きくなっている。
【符号の説明】
【００３３】
１  公知のブラインドリベット
２  公知のブラインドリベットのマンドレル
３  公知のブラインドリベットのリベット本体
５  頭部
６  グリップ部
７  スリーブ
９  フランジ
１０  破断可能部
１１  公知のブラインドリベットのマンドレルの脱落防止部
１３  脱落防止部１１の係止山
１４  被締結部材
１５  溝
１７  隙間
２１  本発明の１実施形態に係るブラインドリベット
２２  ブラインドリベット２１のマンドレル
２３  ブラインドリベット２１のリベット本体
２５  スリーブ
２６  フランジ
２９  頭部
３０  グリップ部
３１  破断可能部
３３  脱落防止部
３４  係止山
３７  切刃
３８  スリーブの拡開部分
【図１】
2011157996.tif 000003
【図２】
2011157996.tif 000004
【図３】
2011157996.tif 000005
【図４】
2011157996.tif 000006
【図５】
2011157996.tif 000007